(57)【特許請求の範囲】
【請求項１】
所定の回線を介して接続された携帯電話機の予め定めた個有情報がアンテナ基地局を介してセンター局に送信され、前記センター局が、受信した個有情報と前記センター局のデータベースに予め格納されている携帯電話機の個有情報とにより正当な携帯電話機からのアクセスであると判断したとき、前記携帯電話機からの通話アクセスを可能とする携帯電話システムに使用され、前記センター局及び内部に収納された携帯電話機と無線回線を介して接続され、前記センター局との情報授受により前記収納された携帯電話機に登録されるべき登録情報の記録、変更、消去等を行う端末装置であり、前記端末装置は電磁的に外部とシールドされ、前記収納された携帯電話機が前記センター局に登録済みであった場合にはそのユーザ情報を表示部に表示することを特徴とする携帯電話機の登録情報設定装置。
【請求項２】
前記端末装置は、挿入、取り出しが可能で、前記携帯電話機が載置されるトレーを有する請求項１に記載の携帯電話機の登録情報設定装置。
【請求項３】
前記登録情報は電話番号である請求項１に記載の携帯電話機の登録情報設定装置。
【発明の詳細な説明】
【０００１】
【発明の属する技術分野】
本発明は、携帯電話機の登録情報設定装置に関し、特に自己所有の携帯電話機に代替の携帯電話機をいつどこでも使用可能とする携帯電話機の登録情報設定装置に関する。
【０００２】
【従来の技術】
移動体通信の実用化は著しく、自動車電話だけでなく、ユーザが所有（携帯）する携帯電話機の実用化も著しく拡張されている。携帯電話機としては、比較的大きなエリアを単位カバー領域として略全国エリアをカバーする云わゆる携帯電話システムと、半径数百メートルの小さなエリアを単位カバー領域とするためシステム建設が容易でコストが高価な、いわゆるＰＨＳ（Personal Handy-phone System）が含まれる。かかる携帯電話システムでは、電話機端末を個々のユーザが所持し、いつでも、どこでも発信、受信を可能とするもので外出等の多い人にとっては非常に便利なものである。
【０００３】
通常、各携帯電話機には、固有のＩＤと電話番号が割り当てられており、更に各携帯電話機の正当なユーザであることを確実にするため上記情報と関連する各携帯電話携帯電話機毎に定められた暗号等のキー情報が割り当てられている。ユーザの通話時には、ユーザ所有携帯電話機のアンテナから発信された上記情報が電話信号として近傍のアンテナ基地局で受信され、更に無線回線、公衆回線等を介してセンター基地局に送出される。センター基地局では、予め携帯電話機ユーザに関する上記情報がデータベースに格納されており、受信情報がデータベースに格納されている情報と一致するか否かを調査し、一致していれば、正当な携帯電話機が使用されているとして通話許可信号をアンテナ基地局を介して当該携帯電話機に送出する。当該携帯電話機は、この通信許可信号を受信した時点で、ダイヤル操作により相手方を呼び出し通話を可能とする。
【０００４】
ところで、上記携帯電話機では、ユーザーが新たに携帯電話機を購入し、利用する際には、当該携帯電話機に指定された電話番号を書き込み、その電話番号、ＩＤ、キー情報等を一組の情報として各携帯電話機毎に予め定めセンター局のデータベースに格納しておく必要がある。通常は、販売店やサービス店にて個々に電話番号を書き込みこれら一組の情報をセンター局に送信してデータベースに格納している。
【０００５】
しかしながら、電話番号の書き込みには相応の設備、装置が必要であり、また携帯電話機は購入された後は、上記一組の情報が代わることもあり、その機能をも備えた端末装置が販売店等に設置されることが望ましい。例えば、販売店に設置されれば、購入したその場で簡単な操作で直ちに使用可能となり利便性が向上する。
【０００６】
また、当該携帯電話機が故障したときに代替えの携帯電話機を借りて使用するときに代替用携帯電話機に故障した本来の携帯電話機の電話番号を書き込み自己所有携帯電話機と全く同一条件にて使用できることが望ましい。更に、自己所有の携帯電話機を自宅に置き忘れて出張した場合にも、レンタル店にてレンタルされた携帯電話機に自己所有携帯電話機の電話番号を書き込み、センター局のデータベースのマップ変更することによって、自己所有携帯電話機と同一条件で使用できれば更に利便性が向上する。
【０００７】
【発明が解決しようとする課題】
ところで、従来の端末装置は、電磁的にシールドされていないため、正当な電話機の書き込み処理時に、鞄等の中に悪意の第３者が作成した同じ電話機固有番号を持つ電話機があった場合には、誰にも気付かれずにクローンの電話機が作成されてしまう恐れがある。
【０００８】
また、書込み時、登録側であるセンター局との無線通信は、無線が盗聴され、解読されて悪意の第３者により電話機登録システムのクローンが作成される恐れもある。
【０００９】
更には、書込み時、電話機とは無線でデータの授受が行われるが、販売店には、多数の携帯電話があり、実際に書き込みたい電話機とは異なる電話機をアクセスしてしまう恐れもある。書込端末を特定するには、登録用の端末装置に電話機固有番号を入力して特定電話機とのみ無線通信を行うようにすることは可能であるが、電話機固有の電話番号の表示方法が必ずしも統一されていない。つまり、電話機のキー操作により電話機に表示されるが、表示が試されないメーカーの電話機もある。
【００１０】
そこで、本発明の目的は、秘密情報である携帯電話機固有情報を書き換えるときに、外部に当該情報が電波の形態で漏れて、盗取されることを防止できる携帯電話機の登録情報設定装置を提供することにある。
【００１１】
【課題を解決するための手段】
前述の課題を解決するために本発明による携帯電話機の登録情報設定装置は、所定の回線を介して接続された携帯電話機の予め定めた個有情報がアンテナ基地局を介してセンター局に送信され、前記センター局が、受信した個有情報と前記センター局のデータベースに予め格納されている携帯電話機の個有情報とにより正当な携帯電話機からのアクセスであると判断したとき、前記携帯電話機からの通話アクセスを可能とする携帯電話システムに使用され、前記センター局及び内部に収納された携帯電話機と無線回線を介して接続され、前記センター局との情報授受により前記収納された携帯電話機に登録されるべき登録情報の記録、変更、消去等を行う端末装置であり、前記端末装置は電磁的に外部とシールドされ、前記収納された携帯電話機が前記センター局に登録済みであった場合にはそのユーザ情報を表示部に表示するように構成される。
【００１２】
【発明の実施の形態】
次に、本発明による携帯電話機の登録情報設定装置の実施形態例を図面を参照しながら説明する。図１は本発明の一実施形態による携帯電話機の登録情報設定装置のシステム構成図である。
【００１３】
センター局２は、カバー領域内の所定位置に設置された多数のアンテナ基地局４（図１では簡単のため一つだけを示している）と無線回線等の回線で接続され、予め登録されている携帯電話機の上述個有情報（ＩＤ、電話番号、キー情報、更にはユーザの氏名、住所、電話番号等のユーザ情報等）を格納するデータベース３を有する。携帯電話機（図示せず）の通話開始時、該携帯電話機からの上述個有情報がアンテナ基地局４を介してセンター局２に送信される。センター局２では、受信した個有情報とデータベース３に格納されている情報を比較し、個有情報がデータベースに含まれているとき正当な携帯電話機からのアクセスであると判断して、通話許可信号をアンテナ基地局４を介して携帯電話機に送信する。この通話許可信号を受信した後に、携帯電話機からダイヤル発信して通話状態に入る。
【００１４】
さて、携帯電話機の販売、取り扱い店には、端末装置１が設置され、ユーザが所有している古い携帯電話機に代えて新たに購入した携帯電話機に当該ユーザに割り当てられた個々の登録情報（電話番号等）を当該端末装置１を介して入力し、アンテナ基地局４を介して、または直接にセンター局２に送出する。センター局２では、受信した電話番号に相当するユーザ情報をデータベース３から読み出し、同一経路を経て端末装置１に返送する。
【００１５】
端末装置１には、ＬＣＤ等から成る表示部１１が設けられ、アンテナ１２を介して受信したユーザ情報が表示部１１に表示される。販売店のオペレータは、ユーザから提示された身分証明書（免許証、保険証、クレジットカード）等の情報と、表示部１１に表示されているユーザ情報とを比較、対照し、ユーザが正式に登録されている本人か否かを確認する。正式に登録されているユーザであることが確認されると、新携帯電話機をユーザ所有の古い携帯電話機と代替すべく、つまり、ユーザ所有の古い携帯電話機の使用を不可とし、新携帯電話機のみの使用を可能とすべく、新携帯電話機の電話番号をユーザ所有の古い携帯電話機の電話番号に変更するとともに、新携帯電話機の個有登録情報をセンター局２のデータベース３に格納されているユーザ所有の古い携帯電話機の個有登録情報と差し替える（上記個有情報の対応関係を示すマップを変更する）。
【００１６】
この携帯電話機の電話番号の書き換え、変更は、端末装置１内で行なわれる。これは、例えば、端末装置１内にトレー１３を介して新携帯電話機を入れ、端末装置１内に設置したアンテナ（図示せず）から放射された電波信号により携帯電話機内部のメモリ内容を記録し直すことができる。このとき、端末装置１全体は、斜線で示すシールド部材５で電磁的にシールドされており、外部との電磁的な信号の授受はアンテナのみを介して行われる。
【００１７】
携帯電話機は、トレー１３上に載置されて端末装置１内に収納され、携帯電話機のアンテナと端末装置１のアンテナ１２を介してセンター局２との間で上記のような各種情報信号の授受が行われ、電話番号やＩＤ情報等の記録、変更、消去等の処理が、内載メモリへのアクセスにより行われる。このとき、携帯電話機とセンター局との情報の授受は、電磁的にシールドされている端末装置１の本体内部で行われるため、外部に漏れる恐れはなくなる。
【００１８】
【発明の効果】
以上説明したように、本発明の携帯電話機の登録情報設定装置によれば、秘密情報である携帯電話機登録情報を書き換えるときに、外部に当該情報が電波の形態で漏れて、盗取されることが防止できるという効果がある。
【図面の簡単な説明】
【図１】本発明の一実施形態による携帯電話機の登録情報設定装置構成図である。
【符号の説明】
１        端末装置
２        センター局
３        データベース
４        アンテナ基地局
５        電磁シールド部材
１１      表示部
１２      アンテナ
１３      トレー
【図１】
0003748934.tif 000002